(57)【要約】      （修正有）【課題】ロック板の板厚を変更することなく、フック片に外力が加えられた場合にも当該フック片が起立した姿勢を維持してスライダとの係合が解除されることを防止した自動販売機の扉ロック装置を提供する。【解決手段】凹溝４とフック片２を有し、本体キャビネット１０に固着されたロック板１と、本体キャビネット１０にヒンジ機構により開閉自在に設けられた外扉における反ヒンジ側の端部に配設されたスライダとを備え、前記ロック板１はフック片２が外力により鉛直線に沿った起立姿勢から傾斜してスライダとの係合が浅くなるのを抑制するフック片傾斜抑制手段（例えば、鉛直方向に沿った稜線）を備え、ロック板１のフック片２に鉛直線に沿った起立姿勢から傾斜するような外力が加えられた場合にもフック片２が鉛直線に沿った起立姿勢から傾斜してスライダとの係合が解除されるのを防止する。【選択図】図１
2012083972.tif 000002
【特許請求の範囲】
【請求項１】
本体キャビネットの左右側壁の一方に固着されるとともに本体キャビネットの前方に突出する凹溝とフック片を有するロック板と、本体キャビネットの前面にヒンジ機構により開閉自在に設けられた外扉における反ヒンジ側の端部に配設されたスライダとを備え、前記ロック板の凹溝にスライダを係合させることにより外扉をロックする自動販売機の扉ロック装置において、前記ロック板はフック片が外力により鉛直線に沿った起立姿勢から傾斜してスライダとの係合が浅くなるのを抑制するフック片傾斜抑制手段を備えていることを特徴とする自動販売機の扉ロック装置。
【請求項２】
請求項１に記載の自動販売機の扉ロック装置において、フック片傾斜抑制手段は、フック片を横断面「く」字状に形成してなり、当該フック片に鉛直線方向の稜線を形成してなることを特徴とする自動販売機の扉ロック装置。
【請求項３】
請求項１に記載の自動販売機の扉ロック装置において、フック片傾斜抑制手段は、ロック板の凹溝下部の連結部における機械的強度をフック片の機械的強度よりも低く形成してなることを特徴とする自動販売機の扉ロック装置。
【発明の詳細な説明】
【技術分野】
【０００１】
この発明は本体キャビネットの前面に配した片開き式外扉を閉止鎖錠する自動販売機の扉ロック装置に関する。
【背景技術】
【０００２】
周知のように自動販売機では、庫内に商品収納ラックを搭載した本体キャビネットに外扉を閉止鎖錠する扉ロック装置を備えており、その従来構造を図３〜図６に示す。まず、図３，図４において、１０は前面が開口した断熱筐体としてなる本体キャビネット、２０は本体キャビネット１の正面視左側壁にヒンジ機構を介して開閉自在に軸支された片開き式の外扉、３０は内扉であり、外扉２０には商品のディスプレイ室４０，硬貨投入口５０，紙幣挿入口６０，投入金額などを表示する表示器７０，硬貨返却口８０，商品取出口９０，扉開閉用ハンドル２１を備えている。外扉２０の裏面には通貨関連機器としてコイン制御機構２３，紙幣識別装置２４，コイン回収ボックス２５などを装備している。
【０００３】
また、外扉２０の扉ロック装置として、本体キャビネット１０の前面開口部には右側壁から前方へ突き出すように上下２箇所にロック板１１を設けるとともに、外扉２０側には前記ハンドル２１に連繋した上下スライド式のスライダ２２（図５参照）を備えており、外扉２を閉じた際にロック板１１が外扉２０の裏面に開口したスリット穴２０ａに進入して前記スライダ２２と係合し、外扉２０を閉止位置に鎖錠するようにしている（例えば、特許文献１参照）。
【０００４】
前記扉ロック装置を図５に示す。図５において、１３は扉ロック装置におけるハンドル２１の後端に連結した釈放用レバーであり、この釈放用レバー１３に前記外扉２０に装備されたスライダ２２が連繋している。ここで、スライダ２２は、横断面コ字形に形成されており、その左右両側部に形成した上下方向の長溝に段付きねじを挿通し、当該段付きねじを外扉２０に固着することによって上下方向にスライド可能に支持されている。スライダ２２の一方の側部には前記釈放用レバー１３が嵌入する角穴２２ａが開口しており、スライダ２２のコ字形基部（コ字形底面）にはロック板１１が嵌入する角穴２２ｂが開口している。また、ロック板１１はその取付基部を本体キャビネット１０に固定し、前方に突き出した部分の上縁に凹溝１１ａが形成されている。
【０００５】
上記構成の扉ロック装置は、外扉２０を閉じた状態ではスライダ２２がロック板１１の凹溝１１ａに係合して外扉２０を閉位置に鎖錠している。この状態から鍵１４を使って扉ロック装置２０のシリンダー錠を解錠した上で、ハンドル２１を開位置に回すと釈放用レバー１３が図示鎖線位置から実線位置に回動してスライダ２２を上方に押し上げる。これにより、スライダ２２とロック板１１との係合が外れて外扉２０を自由に開くことができるようになる。
【０００６】
ところで、前記した扉ロック装置により外扉２０を閉じたロック状態において、外扉２０と本体キャビネット１０との合わせ面に残る隙間ｇ（図５ (a) 参照）に外部からバールなどの工具をこじ入れ、扉ロック装置を破壊した上で外扉２０を開いて機内から金銭，商品を盗み出す手口の盗難が知られている。その対策としては種々の強化構造が図られ、本体キャビネット１０にねじ止めされたロック板１１についてもねじ止めの締結強度を向上させる提案がなされており、その構造を図６に示す。
【０００７】
図６において、ロック板１１は平板（厚さ４mm程度の鋼板）のプレス加工になり、凹溝１１ａを挟んでフック片１１ｂと反対側の取付基部１１ｃには上下に向けて張り出すタブ状の係合腕部１１ｄが形成され、取付基部１１ｃの板面中央（一カ所）には締結ねじ１５を螺合するねじ穴（雌ねじ）１１ｅを設け、さらに前記係合腕部１１ｄには球面状のダボ１１ｆが押出し形成されている。一方、本体キャビネット１０の側壁内面に溶接接合したハット形の補強部材１０１には、本体キャビネット１０の内方に向けて突出する凸壁部の前面側側面に前記ロック板１１の取付基部１１ｃを嵌入する差し込み穴（角穴）１０１ａを開口し、また、前記凸壁部上面には前記ねじ穴１１ｅ，およびダボ１１ｆとそれぞれ対応する位置に締結ねじ１５を通すねじ通し穴１０１ｂ，およびダボ嵌合穴１０１ｃが穿孔されている。
【０００８】
上記の構成で、ロック板１１を補強部材１０１の凸壁部に固着するには、ロック板１１の取付基部１１ｃから上下に張り出した係合腕部１１ｄを補強部材１０１に開口した差し込み穴１０１ａに差し込み、ロック板１１の係合腕部１１ｄを補強部材１０１の凸壁部内側に引っ掛ける。また、この状態で係合腕部１１ｄに形成したダボ１１ｆを補強部材１０１のダボ嵌合穴１０１ｃに嵌合してロック板１１を位置決めした上で、締結ねじ１５をねじ通し穴１０１ｂを介してねじ穴１１ｅに螺合し、十分な締め付け力を加えてロック板１１を引き締め固定する。この場合、締結ねじ１５の締め付けに伴い、ダボ１１ｆとダボ嵌合穴１０１ｃとの嵌め合いによってロック板１１が所定位置に締結固定されることになる。したがって、締結ねじ１５と補強部材１０１に穿孔したねじ通し穴１０１ｂとの間がガタ分（遊びのクリアランス）が残っていても、この影響を受けずにロック板１１を姿勢の傾きなしに安定よく固定することができる（例えば、特許文献２）。
【先行技術文献】
【特許文献】
【０００９】
【特許文献１】特許第３６３３４５１号公報
【特許文献２】特開２００８−１０８１６４号公報
【発明の概要】
【発明が解決しようとする課題】
【００１０】
上記特許文献２に開示された自動販売機の扉ロック装置におけるロック板１１は本体キャビネット１０に強固に固着されるので、外扉２０と本体キャビネット１０との合わせ面の隙間ｇ（図５ (a) 参照）にバールなどの工具をこじ入れて外扉２０を開こうとする破壊手口に対抗できる。すなわち、ロック板１１が前方に引っ張られてもロック板１１は本体キャビネット１０に強固に締結固定されているので、ロック板１１が脱落してしまうことがないという利点を有する。ところが、スライダ２２の角穴２２ｂを介してロック板１１のフック片１１ｂに工具が押し当てられて外力を加えられた場合（図６の（ａ）の白抜き矢印方向の外力）、フック片１１ｂは凹溝１１ａ底辺の延長線上部分の強度が弱いことから当該箇所から折れ曲がって鉛直線に沿って起立した姿勢から傾斜してしまう。このように、フック片１１ｂが鉛直線に沿って起立した姿勢から折れ曲がって傾斜するとフック片１１ｂの高さが低くなってスライダ２２の角穴２２ｂとの係合が浅くなるとともに、スライダ２２の角穴２２ｂに工具が差し込まれるとスライダ２２が上昇することからフック片１１ｂがスライダ２２の角穴２２ｂから抜け出し、ロック板１１とスライダ２２との係合が解除されてしまうおそれがある。この問題を解決するため、ロック板１１の板厚を厚くすることも考えられるが、このロック板１１は本体キャビネット１０の商品収納庫を閉塞する断熱内扉３０を開閉する際に当該内扉３０との干渉しないようにしなければならないので、内扉３０との干渉回避構造を新たに設計せねばならず、ただ単にロック板１１の板厚を厚くすることはできないものである。
【００１１】
そこで、本発明は上記の点に鑑みなされたものであり、その目的は前記課題を解決し、ロック板の板厚を変更することなく、フック片に外力が加えられた場合にも当該フック片が起立した姿勢を維持してスライダとの係合が解除されることを防止した自動販売機の扉ロック装置を提供することにある。
【課題を解決するための手段】
【００１２】
上記目的を達成するために請求項１に係る発明は、本体キャビネットの左右側壁の一方に固着されるとともに本体キャビネットの前方に突出する凹溝とフック片を有するロック板と、本体キャビネットの前面にヒンジ機構により開閉自在に設けられた外扉における反ヒンジ側の端部に配設されたスライダとを備え、前記ロック板の凹溝にスライダを係合させることにより外扉をロックする自動販売機の扉ロック装置において、前記ロック板はフック片が外力により鉛直線に沿った起立姿勢から傾斜してスライダとの係合が浅くなるのを抑制するフック片傾斜抑制手段を備えていることを特徴とする。
【００１３】
また、請求項２に係る発明は、請求項１に記載の自動販売機の扉ロック装置において、フック片傾斜抑制手段は、フック片を横断面「く」字状に形成してなり、当該フック片に鉛直線方向の稜線を形成してなることを特徴とする。
【００１４】
また、請求項３に係る発明は、請求項１に記載の自動販売機の扉ロック装置において、フック片傾斜抑制手段は、ロック板の凹溝下部の連結部における機械的強度をフック片の機械的強度よりも低く形成してなることを特徴とする。
【発明の効果】
【００１５】
本発明の請求項１に係る自動販売機の扉ロック装置によれば、本体キャビネットの左右側壁の一方に固着されるとともに本体キャビネットの前方に突出する凹溝とフック片を有するロック板と、本体キャビネットの前面にヒンジ機構により開閉自在に設けられた外扉における反ヒンジ側の端部に配設されたスライダとを備え、前記ロック板の凹溝にスライダを係合させることにより外扉をロックする自動販売機の扉ロック装置において、前記ロック板はフック片が外力により鉛直線に沿った起立姿勢から傾斜してスライダとの係合が浅くなるのを抑制するフック片傾斜抑制手段を備えたことにより、ロック板のフック片に鉛直線に沿った起立姿勢から傾斜するような外力が加えられた場合にもフック片が鉛直線に沿った起立姿勢から傾斜してスライダとの係合が浅くなることがなく、安定したロック板とスライダとの係合状態を維持できるという効果を有する。
【００１６】
また、本発明の請求項２に係る自動販売機の扉ロック装置よれば、請求項１に記載の自動販売機の扉ロック装置において、フック片傾斜抑制手段は、フック片を横断面「く」字状に形成してなり、当該フック片に鉛直線方向の稜線を形成してなることにより、ロック板のフック片に鉛直線に沿った起立姿勢から傾斜するような外力が加えられた場合にもフック片が傾斜することがないので、安定したロック板とスライダとの係合状態を維持できるという効果を有する。
【００１７】
また、本発明の請求項３に係る自動販売機の扉ロック装置によれば、請求項１に記載の自動販売機の扉ロック装置において、フック片傾斜抑制手段は、ロック板の凹溝下部の連結部における機械的強度をフック片の機械的強度よりも低く形成してなることにより、ロック板のフック片に鉛直線に沿った起立姿勢から傾斜するような外力が加えられた場合にもフック片が鉛直線に沿った起立姿勢から傾斜する以前にロック板の凹溝下部の連結部が折れ曲がってフック片を鉛直線に沿った起立姿勢に維持するので、安定したロック板とスライダとの係合状態を維持できるという効果を有する。
【図面の簡単な説明】
【００１８】
【図１】本発明の実施の形態に係る自動販売機の扉ロック装置の要部の組立構造を示し、（ａ）はロック板を本体キャビネットに取付けた状態の斜視図、（ｂ）は（ａ）の分解斜視図である。
【図２】図１の（ａ）の平面図である。
【図３】本発明が対象とする自動販売機の一例を示す正面図である。
【図４】図４の外扉開放状態の斜視図である。
【図５】従来の扉ロック装置を示し、（ａ）および（ｂ）はそれぞれ側面図および背面図である。
【図６】従来のロック板を示し、（ａ）はロック板を本体キャビネットに取付けた状態の斜視図、（ｂ）は（ａ）の分解斜視図である。
【発明を実施するための形態】
【００１９】
以下、本発明の実施の形態に係る自動販売機の扉ロック装置について添付図面を参照して説明する。なお、本発明の実施の形態に係る自動販売機の扉ロック装置が従来装置と相違する点はロック板のみであり、ここでは従来装置と相違するロック板について説明することとし、また、自動販売機の全体構成は図３、図４示したものと同一であるので適宜それぞれの図を参照しつつ説明を行う。
【００２０】
図１において、１は本発明の実施の形態に係るロック板であり、このロック板１は平板（厚さ４mm程度の鋼板）のプレス加工品になる。前記ロック板１は凹溝４を挟んでフック片２と取付基部３とを備え、前記取付基部３には上下に向けて張り出すタブ状の係合腕部３１，３１が形成され、取付基部３の板面中央（一カ所）には締結ねじ１５を螺合するねじ穴（雌ねじ）３２が形成されるとともに前記係合腕部３１には球面状のダボ３３，３３が押出し形成されている。そして、フック片２は、図２の平面図から理解できるように、横断面「く」字状に形成されており、「く」字状の山部分である稜線２ａが鉛直方向に延在するように形成されている。前記フック片２における鉛直方向に延在する稜線２ａは、フック片２の機械的強度の向上を図るものである。また、ロック板１の凹溝４下部におけるフック片２と取付基部３との連結部５の板厚はフック片２よりも薄肉に形成され、連結部５の機械的強度がフック片２の機械的強度よりも低くなるように形成されている。前記フック片２の鉛直方向に延在する稜線２ａおよび薄肉に形成された連結部５がフック片傾斜抑制手段を構成する。
【００２１】
前記ロック板１が固着される本体キャビネット１０には、従来装置と同様に、正面視右側の側壁内面にハット形の補強部材１０１が溶接接合され、前記補強部材１０１には本体キャビネット１０内方に向けて突出する凸壁部の前面側側面に前記ロック板１１の取付基部３を嵌入する差し込み穴（角穴）１０１ａが開口され、また、前記凸壁部上面には前記ねじ穴３２およびダボ３３，３３とそれぞれ対応する位置に締結ねじ１５を通すねじ通し穴１０１ｂおよびダボ嵌合穴１０１ｃが穿孔されている。
【００２２】
前記ロック板１の本体キャビネット１０への組付けは、従来装置と同様に、ロック板１の取付基部３から上下に張り出した係合腕部３１，３１を補強部材１０１に開口した差し込み穴１０１ａに差し込み、ロック板１の係合腕部３１を補強部材１０１の凸壁部内側に引っ掛ける。また、この状態で係合腕部３１に形成したダボ３３，３３を補強部材１０１のダボ嵌合穴１０１ｃに嵌合してロック板１を位置決めした上で、締結ねじ１５を、ねじ通し穴１０１ｂを介してねじ穴３２に螺合し、十分な締め付け力を加えてロック板１１を引き締め固定する。
【００２３】
次に、ロック板１に形成されたフック片傾斜抑制手段の作用について説明する。いま、本体キャビネット１０と外扉２０との合わせ面からバールなどの工具がこじ入れられて本体キャビネット１０に固着されたロック板１のフック片２に、図１の（ａ）および図２に示した白抜き矢印の方向に外力が加えられた場合、フック片２には凹溝４底辺の延長線上部分から折れ曲がろうとする力が作用する。しかしながら、フック片２には鉛直方向に延在する稜線２ａが形成されて機械的強度が高められていることから、凹溝４底辺の延長線上部分から折れ曲がることがない。つまり、フック片２に白抜き矢印の方向の外力が加えられた場合にもフック片２は鉛直線に沿った起立姿勢を維持し、フック片２の先端が鉛直線から外れてフック片２が起立姿勢から傾斜することがない。また、フック片２に想定外の外力（すなわち、フック片２が鉛直線に沿った起立姿勢から傾斜するような外力）が加えられた場合には、フック片２よりも機械的強度の低い連結部５が折れ曲がる。この連結部５の折れ曲がりによりフック片２が外扉２０の内方へ移動するものの、フック片２は鉛直方向に沿った起立姿勢を維持している。したがって、フック片２に外力が加えられたとしてもフック片２が傾斜してフック片２の高さが低くなり、スライダ２２（図５参照）の角穴２２ｂとの係合が浅くなってフック片２がスライダ２２の角穴２２ｂから抜け出してロック板１とスライダ２２との係合が解除されてしまうことがない。
【００２４】
前述したように本発明の実施の形態に係る自動販売機の扉ロック装置によれば、本体キャビネット１０の左右側壁の一方に固着されるとともに本体キャビネット１０の前方に突出する凹溝４とフック片２を有するロック板１と、本体キャビネット１０の前面にヒンジ機構により開閉自在に設けられた外扉２０における反ヒンジ側の端部に配設されたスライダ２２とを備え、前記ロック板１の凹溝４にスライダ２２を係合させることにより外扉２０をロックする自動販売機の扉ロック装置において、前記ロック板１はフック片２が外力により鉛直線に沿った起立姿勢から傾斜してスライダ２２との係合が浅くなるのを抑制するフック片傾斜抑制手段を備えたことにより、ロック板１のフック片２に鉛直線に沿った起立姿勢から傾斜するような外力が加えられた場合にもフック片２が鉛直線に沿った起立姿勢から傾斜してスライダ２２との係合が浅くなることがなく、安定したロック板１とスライダ２２との係合状態を維持できるという効果を有する。
【００２５】
なお、前述した実施の形態ではロック板１のフック片２に鉛直線に沿った稜線を形成したものについて説明したが、稜線の方向は鉛直線に限られるものではなく、その数も１個にかぎるものではない。また、連結部５の機械的強度をフック片２の機械的強度よりも低くしたものについて説明したが、取付基部３の一部にフック片２の機械的強度よりも低い部分を設けることもできる。したがって、前述した実施の形態によりこの発明が限定されるものではない。
【符号の説明】
【００２６】
１    ロック板
２    フック片
２ａ    稜線
３    取付基部
４    凹溝
１０    本体キャビネット
１５    締結ねじ
２０    外扉
１０１    補強部材
【図１】
2012083972.tif 000003
【図２】
2012083972.tif 000004
【図３】
2012083972.tif 000005
【図４】
2012083972.tif 000006
【図５】
2012083972.tif 000007
【図６】
2012083972.tif 000008